(57)【要約】【課題】  ネタが収納された貯蔵室から、扉や蓋等に触れることなくネタを取り出すことが可能となるネタケースを提供する。【解決手段】  本発明のネタケース１は、冷却パイプ１３により冷却されると共に、上面が開口してネタを収納する貯蔵室９が構成された断熱箱体８と、当該貯蔵室９の開口を周囲を囲繞するように断熱箱体８に取り付けられた枠部材１０とから構成される本体２と、貯蔵室９の上面開口を開閉可能に閉塞する透明扉４、４と、手指を接触させること無く、透明扉４、４を開閉駆動する扉開閉機構３を備えた。【選択図】図３
2006288522.tif 000002
【特許請求の範囲】
【請求項１】
冷却手段により冷却されると共に、上面が開口してネタを収納する貯蔵室が構成された本体と、
前記貯蔵室の上面開口を開閉可能に閉塞する透明扉と、
手指を接触させること無く、前記透明扉を開閉駆動する扉開閉機構を備えたことを特徴とするネタケース。
【請求項２】
前記透明扉は、回動軸を中心として回動自在に前記本体に枢支されると共に、前記透明扉が開放した際に構成される当該透明扉と前記本体間の隙間を閉塞する隙間閉塞部材を設けたことを特徴とする請求項１のネタケース。
【請求項３】
前記本体は、内部に前記貯蔵室が構成された断熱箱体と、前記貯蔵室の上面開口周囲を囲繞するように前記断熱箱体に取り付けられた枠部材とを備え、
前記扉開閉機構は、前記枠部材内に収容されていることを特徴とする請求項１又は請求項２のネタケース。
【請求項４】
前記扉開閉機構は、前記枠部材の１辺の長手方向にそれぞれ延在するネジ部材及び該ネジ部材に螺合されたナット部材と、前記ネジ部材を回転駆動するモータと、前記ナット部材と前記回転軸とを連結するリンク部材とを備え、
前記モータにより前記ネジ部材を正／逆回転させ、前記ナット部材との螺合代を変更することにより、前記リンク部材を介して前記回動軸を正／逆回動させることにより、前記透明扉を開閉することを特徴とする請求項３のネタケース。
【請求項５】
前記リンク部材には、前記モータの回転トルクに加わる前記透明扉の重量を相殺する方向で付勢力を発生するバネ部材を取り付けたことを特徴とする請求項４のネタケース。
【請求項６】
前記枠部材は、前記断熱箱体に対して着脱可能に取り付けられると共に、前記扉開閉機構への電気配線に介設されたコネクタを備え、該コネクタは、前記枠部材の着脱操作によって結合／分離されることを特徴とする請求項４又は請求項５のネタケース。
【発明の詳細な説明】
【技術分野】
【０００１】
本発明は、寿司ネタや天ぷらネタ等の生鮮食品を収納するネタケースに関するものである。
【背景技術】
【０００２】
従来より寿司屋や割烹料理店等においては、ネタケースと称される保存ケースをカウンター上に設置し、内部に収納した寿司ネタ（魚介類を中心とした生鮮食品）等が顧客から見えるように冷却保存していた。即ち、従来のこの種ネタケースは、例えば特許文献１に開示されているように、上面に開口を有する本体内に貯蔵室を構成し、当該貯蔵室内に魚介類等の食品を貯蔵していた。そして、開店時には、上面開口は、ガラスやアクリル等の透明部材にて形成される透明蓋にて閉塞し、閉店時には、ウレタン等の断熱部材で形成された断熱蓋にて閉塞する。これにより、貯蔵室内の温度を一定の範囲に維持することで、内部の食品を所定温度に冷却している。
【特許文献１】特開平７−２４６０５６号公報
【発明の開示】
【発明が解決しようとする課題】
【０００３】
従来のネタケースでは、特に開店時において、貯蔵室内の食品の納出を行う際に、透明蓋に形成される把手を掴み、貯蔵室の開閉作業を行わなければならない。通常、寿司等の食品の提供にあたっては、職人等の作業者は、材料となるネタや舎利に直接手指が触れる状態で作業が行われる。そのため、ネタをネタケースから取り出す度に、直接手指が触れる状態で透明蓋の開閉を行うことから、作業が煩雑となる問題がある。特にこの場合、作業者は、食品にも直接手指を触れるため、衛生面からも、できるだけ作業中に食品以外の物に触れたくないという問題がある。
【０００４】
そこで、本発明は従来の技術的課題を解決するために成されたものであり、ネタが収納された貯蔵室から、扉や蓋等に触れることなくネタを取り出すことが可能となるネタケースを提供する。
【課題を解決するための手段】
【０００５】
本発明のネタケースは、冷却手段により冷却されると共に、上面が開口してネタを収納する貯蔵室が構成された本体と、貯蔵室の上面開口を開閉可能に閉塞する透明扉と、手指を接触させること無く、透明扉を開閉駆動する扉開閉機構を備えたことを特徴とする。
【０００６】
請求項２の発明は、透明扉は、回動軸を中心として回動自在に本体に枢支されると共に、透明扉が開放した際に構成される当該透明扉と本体間の隙間を閉塞する隙間閉塞部材を設けたことを特徴とする。
【０００７】
請求項３の発明は、本体は、内部に貯蔵室が構成された断熱箱体と、貯蔵室の上面開口周囲を囲繞するように断熱箱体に取り付けられた枠部材とを備え、扉開閉機構は、枠部材内に収容されていることを特徴とする。
【０００８】
請求項４の発明は、扉開閉機構は、枠部材の１辺の長手方向にそれぞれ延在するネジ部材及び該ネジ部材に螺合されたナット部材と、ネジ部材を回転駆動するモータと、ナット部材と回動軸とを連結するリンク部材とを備え、モータによりネジ部材を正／逆回転させ、ナット部材との螺合代を変更することにより、リンク部材を介して回動軸を正／逆回動させることにより、透明扉を開閉することを特徴とする。
【０００９】
請求項５の発明は、リンク部材には、モータの回転トルクに加わる透明扉の重量を相殺する方向で付勢力を発生するバネ部材を取り付けたことを特徴とする。
【００１０】
請求項６の発明は、枠部材は、断熱箱体に対して着脱可能に取り付けられると共に、扉開閉機構への電気配線に介設されたコネクタを備え、該コネクタは、枠部材の着脱操作によって結合／分離されることを特徴とする。
【発明の効果】
【００１１】
本発明のネタケースによれば、冷却手段により冷却されると共に、上面が開口してネタを収納する貯蔵室が構成された本体と、貯蔵室の上面開口を開閉可能に閉塞する透明扉と、手指を接触させること無く、透明扉を開閉駆動する扉開閉機構を備えたことにより、手指を接触させることなく扉開閉機構を駆動させることで、透明扉を開閉することが可能となり、貯蔵室内に収納されたネタを衛生的に納出することが可能となる。
【００１２】
これにより、特に、寿司など手指が直接触れることで作業を行う場合であっても、手指が食品以外に触れることをできる限り抑制することが可能となり、衛生的、且つ、効率的に作業を行うことができるようになる。そのため、より衛生的、且つ、安全な寿司等の食品の提供を実現することができるようになる。
【００１３】
請求項２の発明によれば、透明扉は、回動軸を中心として回動自在に本体に枢支されると共に、透明扉が開放した際に構成される当該透明扉と本体間の隙間を閉塞する隙間閉塞部材を設けたことにより、透明扉が回動軸を中心として回動することで形成される本体との間の隙間に誤って手指を挟み、損傷してしまう不都合を防止することができる。これにより、手指を接触させることなく安全に透明扉を開閉することができるようになる。
【００１４】
請求項３の発明によれば、本体は、内部に貯蔵室が構成された断熱箱体と、貯蔵室の上面開口周囲を囲繞するように断熱箱体に取り付けられた枠部材とを備え、扉開閉機構は、枠部材内に収容されているため、扉開閉機構が本体内に収められることとなり、外観上凹凸が少なく簡素な構成となる。これにより、外観の向上を図ることができる。
【００１５】
また、請求項４の発明によれば、扉開閉機構は、枠部材の１辺の長手方向にそれぞれ延在するネジ部材及び該ネジ部材に螺合されたナット部材と、ネジ部材を回転駆動するモータと、ナット部材と回動軸とを連結するリンク部材とを備え、モータによりネジ部材を正／逆回転させ、ナット部材との螺合代を変更することにより、リンク部材を介して回動軸を正／逆回動させることにより、透明扉を開閉するため、複雑な減速機構を用いずに回動軸を所定の速度で回動させることが可能となる。
【００１６】
また、扉開閉機構を構成するネジ部材とナット部材は、枠部材の一辺の長手方向に延在しえるので、総じてコンパクト化することができるようになる。そのため、枠部材の厚さを薄くすることが可能となり、貯蔵室の容積拡大を実現することができる。
【００１７】
請求項５の発明によれば、リンク部材には、モータの回転トルクに加わる透明扉の重量を相殺する方向で付勢力を発生するバネ部材を取り付けたため、透明扉の閉鎖時に、当該透明扉の自重により勢いよく扉が閉鎖し、該扉の破損や作業者が手指を損傷するなどの不都合を抑制することが可能となる。
【００１８】
また、請求項６の発明によれば、枠部材は、断熱箱体に対して着脱可能に取り付けられると共に、扉開閉機構への電気配線に介設されたコネクタを備え、該コネクタは、枠部材の着脱操作によって結合／分離されることから、電気配線の接続を容易とすることができると共に、外観も向上される。
【発明を実施するための最良の形態】
【００１９】
以下、図面に基づき本発明の実施形態を詳述する。図１は本発明のネタケース１の斜視図、図２はネタケース１の貯蔵室９部分の縦断側面図、図３はネタケース１の枠部材１０部分の縦断側面図を示している。
【００２０】
本実施例のネタケース１は、例えば寿司屋等の図示しないカウンターに設置されるものであり、当該カウンターは例えば、顧客側を大理石にて形成し、ネタケース１が設置される側を桧にて形成されている。本実施例のネタケース１は、カウンターに設置することで、カウンターの顧客にネタケース１内のネタである生鮮食品（食品）を陳列する目的を兼ねている。
【００２１】
即ち、ネタケース１は、上面が開口している本体２と、この上面開口を開閉自在に閉塞する透明扉４、４とから構成される。本体２は、断熱箱体８と枠部材１０とから構成され、当該断熱箱体８は、後板より前板の方を低く、上面が開口している外箱５と、この外箱５内に収納され、熱良導性の部材にて形成されると共に、前記外箱５同様に後板より前板の方が低く上面が開口している内箱６と、この内箱６及び前記外箱５間に発泡充填される断熱材７とにより構成される。
【００２２】
そして、この内箱６の内部には、内部に魚介類等の生鮮食品（食品）を貯蔵する貯蔵室９が区画形成される。内箱６の底板６Ａには、冷却パイプ１３が断熱材７側に接触して設けられる。この冷却パイプ１３は、図示しない機械室内に設けられた圧縮機、凝縮器等と冷凍サイクルを構成するものであり、当該冷却パイプ１３の冷却作用によって貯蔵室９内に収納された食品を所定温度に冷却する。尚、貯蔵室９の底板６Ａには図示しないドレンソケットが設けられており、このドレンソケットにて貯蔵室９内に発生した水を貯蔵室９外に排出する。
【００２３】
また、この断熱箱体８の下部外周には、外側に向かって階段状に低く形成されたフランジ８Ａが形成されており、本体２の後面に位置する当該フランジ８Ａには、後述する電気配線のコネクタ１１が設けられている。
【００２４】
枠部材１０は、貯蔵室９の上面開口周囲を囲繞するように断熱箱体８に取り付けられる枠であり、この枠部材１０の下面が、断熱箱体８のフランジ８Ａ上面に載置されるように構成されている。また、本体２の後面に位置する枠部材１０の後板下面には、前記フランジ８Ａに設けられたコネクタ１１と電気的に容易に接続可能とするコネクタ１２が設けられている。尚、当該枠部材１０は、当該ネタケース１が設置されるカウンターと同一の材料にて形成することにより、一体感のあるデザインとすることができる。
【００２５】
これにより、ネタケース１は、図１に示されるように顧客側、即ち前側が作業者側、即ち後側よりも低く形成されており、カウンターの顧客がネタケース１の貯蔵室９内を容易に視認することができる。
【００２６】
次に、図３を参照して、透明扉４及び当該透明扉４の開閉機構３について説明する。本実施例において透明扉４、４は本体２に対し左右に並設されたガラス板又はアクリル板等の内部を透視可能とする透明材料にて構成されたものであり、前記枠部材１０を構成する前板の後縁上部、即ち、枠部材１０により形成される開口の前縁に位置して設けられる回動軸１５を中心に回動自在に枢支される。また、回動軸１５に取り付けられる透明扉４の前縁は回動軸１５に対し着脱自在に取り付けられるものであり、また、回動軸１５への取り付けは、常に、透明扉４が上方に移動することを規制するものでないものとする。即ち、本実施例では、透明扉４の前端は、回動軸１５に対し上方から嵌め込むことで回動軸１５に取り付けられており、透明扉４が当該回動軸１５に固定されるものでなく、当該回動軸１５を中心として上方に回動自在とされているものとする。
【００２７】
この回動軸１５は、左右に位置する透明扉４、４に対しそれぞれ別個に回動制御されるものであり、それぞれの回動軸１５は、側方に位置する枠部材１０の左右側板内に収容された扉開閉機構３により回動制御される。
【００２８】
扉開閉機構３は、ネジ部材１６と、当該ネジ部材１６に螺合されたナット部材１７と、前記ネジ部材１６を回転駆動させるモータ２０とを備えている。ネジ部材１６は、枠部材１０の側板の長手方向に延在してモータ２０により回転駆動可能に設けられている。そして、ナット部材１７は、ネジ部材１６と同様に枠部材１０の側板の長手方向に延在して設けられると共に、前記ネジ部材１６が螺合されている。そのため、モータ２０の正回転又は逆回転を制御することで、これらネジ部材１６とナット部材１７との螺合代を変更することが可能となる。尚、本実施例では、図示しない制御手段によりモータ２０を正回転させることで、ネジ部材１６をナット部材１７にねじ込む、即ち、螺合代を増加させる方向に移動させるものとし、モータ２０を逆回転させることで、ネジ部材１６をナット部材１７から緩める、即ち、螺合代を減少させる方向に移動させるものとする。
【００２９】
そして、このナット部材１７のネジ部材１６とは反対側の端部に、リンク部材２１が取り付けられている。このリンク部材２１は、一端が前記回動軸１５に連結されており、当該回動軸１５を中心に回転可能とされている。そのため、前記ネジ部材１６とナット部材１７との螺合代が変更されるに従い、ナット部材１７の端部がネジ部材１６側に移動することで、リンク部材２１を介して回動軸１５を回動させる。
【００３０】
これにより、モータ２０を正回転させ、ネジ部材１６とナット部材１７との螺合代を増加させることで、ナット部材１７の端部に取り付けられたリンク部材２１がネジ部材１６側に引かれる方向に回動し、これに伴って回動軸１５が透明扉４を上方に回動させる方向に回転される。これにより、透明扉４を回動軸１５を中心に回動することで開放することが可能となる。
【００３１】
他方、モータ２０を逆回転させ、ネジ部材１６とナット部材１７との螺合代を減少させることで、ナット部材１７の端部に取り付けられたリンク部材２１がネジ部材１６とは反対側に押し出される方向に回動し、これに伴って回動軸１５が透明扉４を下方に回動させる方向に回転される。これにより、透明扉４を回動軸１５を中心に回動することで閉じることが可能となる。
【００３２】
また、本実施例において、ナット部材１７のリンク部材２１との連結側、即ち、側板を構成する枠部材１０の前部には、透明扉４の閉鎖を検知するための閉検知リミットスイッチ２２が取り付けられている。当該閉検知リミットスイッチ２２は、図３に実線で示す如くネジ部材１６とナット部材１７との螺合代が最小となることで、ナット部材１７の非螺合側が最も前方に、即ち、ネジ部材１６とは反対側に移動し、ナット部材１７がスイッチ２２に当接し、透明扉４の閉検知を行うものである。
【００３３】
他方、ネジ部材１６は、モータ２０と共に、枠部材１０内に固定される取付板２３に回動軸２４を中心に取り付けられている。そのため、ネジ部材１６とナット部材１７との螺合代の変更に伴い、ネジ部材１６、ナット部材１７及び当該ネジ部材１６に連結されるモータ２０は、回動軸２４を中心に回転移動する。ここで、モータ２０の上部には、当該モータ２０と共に回転移動する当接板２５が固定されていると共に、モータ２０の上方に位置する取付板２３には、透明扉４の開放を検知するための開検知リミットスイッチ２７が取り付けられている。当該開検知リミットスイッチ２７は、図３に点線で示す如くネジ部材１６とナット部材１７との螺合代が最大となることで、モータ２０が最も上方に移動し、当該モータ２０に固定された当接板２５がスイッチ２７に当接し、透明扉４の開検知を行うものである。尚、本実施例では、透明扉４の開放角度が閉塞状態から例えば約６０℃起立した状態を最大の開放角度とし、透明扉４が当該角度となった状態の螺合代を最大とするものとする。
【００３４】
係る枠部材１０の後面、即ち、作業者側の面には、例えば赤外線等により構成される非接触式のセンサ２９がそれぞれの透明扉４、４に対し設けられている。係るセンサ２９は、前記制御手段に接続されており、直接当該センサ２９に接触することなく、例えば手をかざすことにより、センサ２９のＯＮ／ＯＦＦを行うことができるものである。
【００３５】
尚、当該扉開閉機構３を構成するモータ２０や各リミットスイッチ２２、２７及び各センサ２９等への電気的接続を行う電気配線は、枠部材１０の内面に形成された図示しない溝に沿って配線されると共に、当該端部は図２に示す如き前記コネクタ１２に総括して接続されるものとする。尚、係るコネクタ１２は前述した如く断熱箱体８側に設けられるコネクタ１１と電気的に接続可能とされており、枠部材１０を断熱箱体８から着脱操作する際に、容易に結合／分離可能とされているものとする。これにより、電気配線の接続を容易とすることができると共に、外観も向上される。
【００３６】
また、透明扉４の両側方には、当該透明扉４を開放した際に構成される当該透明扉４と枠部材１０との間の隙間を閉塞するための隙間閉塞部材３０が設けられている。本実施例において隙間閉塞部材３０は、回動軸１５を中心とする略扇形に形成されており、当該透明扉４の閉鎖に伴い、当該隙間閉塞部材３０は、予め枠部材１０に形成される図示しない収容部に収容される構成とされているものとする。
【００３７】
係る構成により、当該ネタケース１の後面側の作業者は、当該ネタケース１の貯蔵室９から食品を取り出す場合には、まず、前記センサ２９に手指をかざす。これにより制御手段は、当該センサ２９の出力に基づき前記モータ２０を正回転させ、上述した如くネジ部材１６とナット部材１７との螺合代を増加させることで、ナット部材１７の端部に取り付けられたリンク部材２１がネジ部材１６側に引かれる方向に回動し、これに伴って回動軸１５が透明扉４を上方に回動させる方向に回転される。これにより、透明扉４を回動軸１５を中心に回動することで開放する。
【００３８】
ここで、当該モータ２０の回転に基づき、ネジ部材１６とナット部材１７の螺合代が変化することで、ネジ部材１６及びモータ２０が回動軸２４を中心に上方に回動される。これに伴い、モータ２０に固定された当接板２５が前記開検知リミットスイッチ２７をＯＮとする。これにより、制御手段は開検知リミットスイッチ２７の出力に基づき、モータ２０の正回転を停止する。これにより透明扉４の回動が停止され、透明扉４の前端が回動軸１５に支持された状態で静止する。
【００３９】
これにより、作業者は、ネタケース１の後面側から透明扉４の開口側より貯蔵室９内に手指を挿入し、当該貯蔵室９内にて冷却・陳列される食品と取り出すことが可能となる。
【００４０】
その後、作業者は、再び前記センサ２９に手指をかざす。これにより制御手段は、当該センサ２９の出力に基づき前記モータ２０を逆回転させ、上述した如くネジ部材１６とナット部材１７との螺合代を減少させることで、ナット部材１７の端部に取り付けられたリンク部材２１がネジ部材１６とは反対側に押し出される方向に回動し、これに伴って回動軸１５が透明扉４を下方に回動させる方向に回転される。これにより、透明扉４を回動軸１５を中心に回動することで閉じる。
【００４１】
ここで、当該モータ２０の回転に基づき、ネジ部材１６とナット部材１７の螺合代が変化することで、ナット部材１７の非螺合側が前方に移動し、ナット部材１７が閉検知リミットスイッチ２２をＯＮとする。これにより、制御手段は閉検知リミットスイッチ２２の出力に基づきモータ２０の逆回転を停止する。これにより透明扉４の回動が停止され、透明扉４がネタケース１の貯蔵室９を閉塞した状態で静止する。
【００４２】
これにより、作業者は、食品以外の物に触れることなく、透明扉４の開閉動作を行うことが可能となり、貯蔵室９内に収納された食品（ネタ）を衛生的に納出することが可能となる。特に、寿司など手指が直接触れることで作業を行う場合であっても、手指が食品以外に触れることをできる限り抑制することが可能となり、衛生的、且つ、効率的に作業を行うことができるようになる。そのため、より衛生的、且つ、安全な寿司等の食品の提供を実現することができるようになる。
【００４３】
本実施例において、透明扉４は、上述した如く回動軸１５に対し上方から嵌め込むことで取り付けられると共に、上方への移動を規制しない構成とされていることから、当該透明扉４の閉鎖時に誤って、透明扉４と枠部材１０との間に手指を挿入した場合であっても、当該手指により透明扉４が上方に移動するため、モータ２０の駆動による力によって手指を損傷してしまう不都合を回避することができる。
【００４４】
また、上述した如く回動軸１５を中心として透明扉４と枠部材１０との間に形成される隙間には、隙間閉塞部材３０が設けられているため、係る隙間に手指を挟んでしまい、損傷してしまう不都合を回避することができる。
【００４５】
これにより、透明扉４が上述した如くモータ２０の駆動により、自動で開閉動作を行った場合であっても、手指を損傷してしまう危険性を回避することができ、安全に使用することができる。そのため、手指を接触させることなく安全な透明扉４の開閉を行うことができるようになる。
【００４６】
本実施例の扉開閉機構３は、上述したようにネジ部材１６とナット部材１７は、枠部材１０の一辺の長手方向に延在して設けられているため、総じてコンパクト化することができるようになる。そのため、枠部材１０の厚さを薄くすることが可能となり、貯蔵室９の容積拡大を実現することができる。
【００４７】
また、係る構成によれば、モータ２０によってネジ部材１６を回動させることで、透明扉４の開閉動作を行うことができるため、何枚も減速ギアを有する複雑な減速機構を用いることなく回動軸１５を所定の速度で回動させることが可能となる。これによっても、扉開閉機構３をコンパクト化することが可能となる。
【００４８】
また、上述した如く扉開閉機構３を枠部材１０内に収容することで、外観上の凹凸が少なく簡素な構成となる。これにより、外観の向上を図ることができる。
【００４９】
尚、上述した如き実施例において扉開閉機構３には、図４に示す如くリンク部材２１と取付板２３とを連結するバネ部材３１を設けてもよい。係るバネ部材３１は、モータ２０の回転トルクに加わる透明扉４の重量を相殺する方向で付勢力を発生するものを用いることにより、透明扉４の閉鎖時に、当該透明扉４の自重により勢いよく扉４が閉鎖し、該扉４の破損や作業者が手指を損傷するなどの不都合を抑制することが可能となる。
【００５０】
尚、本実施例では、当該ネタケース１は、寿司屋等のカウンターに設置するものとして使用するため、顧客側に位置する前部を作業者側に位置する後部よりも低く構成し、透明扉４の開閉動作も、顧客側に位置する前端を中心として回動することで行われているが、これ以外にも、例えば当該ネタケース１を寿司屋等のカウンター以外の場所、例えば天ぷらを提供する店舗などにおいて、当該ネタケース１内を顧客に対し陳列しない使用を行う場合には、前板側からネタケース１内の食品の納出を行うため、透明扉４の開閉動作を後端を中心として回動する構成としてもよいものとする。
【００５１】
これにより、いずれの開閉動作を行う場合であっても、透明扉４に直接触れることなく行うことが可能となり、衛生的に飲食物の提供を行うことが可能となる。
【図面の簡単な説明】
【００５２】
【図１】本発明のネタケースの斜視図である。
【図２】ネタケースの貯蔵室部分に相当する位置の縦断側面図である。
【図３】ネタケースの枠部材部分に相当する位置の縦断側面図である。
【図４】他の実施例のネタケースの枠部分に相当する位置の縦断側面図である。
【符号の説明】
【００５３】
１    ネタケース
２    本体
３    扉開閉機構
４    透明扉
８    断熱箱体
９    貯蔵室
１０  枠部材
１１、１２  コネクタ
１３  冷却パイプ
１５  回動軸
１６  ネジ部材
１７  ナット部材
２０  モータ
２１  リンク部材
２２  閉検知リミットスイッチ
２４  回動軸
２７  開検知リミットスイッチ
２９  非接触式のセンサ
３０  隙間閉塞部材
３１  バネ部材
【図１】
2006288522.tif 000003
【図２】
2006288522.tif 000004
【図３】
2006288522.tif 000005
【図４】
2006288522.tif 000006